Podtech/llm-jp-corpus-v4-ja_patent huggingface dataset:
(57)【要約】【課題】    犬，猫等小型ペットの内面的表情を鳴き声で検知し、前記鳴き声の中で、１音声のみを取り出し光学的に点滅させ人間に判断可能とする。【解決手段】    犬，猫等小型ペットの首輪に検出部，光学的表示部を組込み小型化をはかり，前記小型ペットに常時首輪し検出表示する。【選択図】    図２
2006042787.tif 000002
【特許請求の範囲】
【請求項１】
犬あるいは猫等の小型ペット類において、性別，種別に共通した周波数帯の、一音声のみに限定し、前記音声を検出し、光学的に人間が小型ペット類の状態が把握できるペット状態表示装置。
【請求項２】
ペット状態表示装置は、小型ペット類の首輪に装着可能としたことを特徴とした請求項１記載のペット状態表示装置。
【発明の詳細な説明】
【技術分野】
【０００１】  本発明は、犬あるいは猫等の小型ペット類に関し、飼い主の人間が前記小型ペット類に与えた環境および動作により、前記飼い主のイメージした前記小型ペット類の反応と、小型ペット類の鳴き声とが合致したかどうかを確認可能な光学的表示装置に関する。
【背景技術】
【０００２】  従来、一般に販売されている、犬語翻訳機および猫語翻訳機は、操作が複雑で且つ高価であり、購買層が限定されていた。更に人間と犬，猫が１対１で相対峙して操作しなければならない煩雑さがあった。
【発明の開示】
【発明が解決しようとする課題】
【０００３】  そこで本発明においては、犬あるいは猫等の鳴き声を一種類に限定し、検出しシステムの簡略化と小型化をはかり、且つ安価な玩具を提供するものである。
【課題を解決するための手段】
【０００４】  従来の犬，猫語翻訳機は、音声を検出認識し人間の言葉として変換表示伝達する方式であった。本発明においては、限定された一種類の音声を検出し、前記音声を検出したと時のみ表示し犬，猫の状態が視認できるようにする。
【発明の効果】
【０００５】  上述のように本発明のペット状態表示装置においては、人間の言葉として変換する機能を削除し、各種犬，猫の鳴き声の中で性別，種別を問わず共通した同一周波数帯の鳴き声を一種選択し、前記鳴き声が犬，猫より発せられ検出した時、発光ダイオード等を用いて人間が前記犬，猫等の状態を視認することを可能とすることにより、小型，安価で容易にペット類の状態表示装置を提供することができる。
【発明の実施するための最良の形態】
【０００６】  以下、本発明の実施例を図面に基づいて記述する。図１は、実施例の検出ブロックダイヤグラムを示す。図２は実装例の平面断面図を示す。
【０００７】  図１において、集音マイク１で犬，猫等の音声を収集し、アンプ２にて前記音声信号を増幅する。増幅された音声信号はバンドパスフィルタ３に送られ、バンドパスフィルタ３に設定された音声周波数帯のみ通過し発光ダイオード５のドライバー４に信号を送る。
【０００８】  ドライバー４に信号が送りこまれると発光ダイオード５が点灯し状態表示を行う。図１において２，３，４，５の各電子部品をプリント基板６に実装収納され小型化をはかっている。
【０００９】  図２は、本発明の実施機構を示す。電子回路の動力源には円盤型小型電池７を２個内蔵し、集音マイク１は首輪８の内側即ち犬，猫等の首に直接接触するよう配置されている。
【図面の簡単な説明】
【００１０】
【図１】検出ブロックダイヤグラム
【図２】実施機構
【符号の説明】
【００１１】１        集音マイク
２        アンプ
３        バンドパスフィルタ
４        ドライバー
５        発光ダイオード
６        プリント基板
７        小型電池
８        首輪
９        レンズ
１０      カバー
１１      ケース
【図１】
2006042787.tif 000003
【図２】
2006042787.tif 000004
(57)【要約】【課題】雑草の生えやすい場所、保湿の困難な場所であっても、除草、保湿作業、環境改善（土壌など）を従来よりも少ない手間で効率的に改善する火山礫を挿入した袋を提供することである【解決手段】伸縮性の有る袋に火山礫を入れるため、ある程度自由な形態で目的の場所に設置でき、取り外し可能なワイヤーロープを挿入した場合、つなげた袋を連結することが出来、固定した設置、撤去も容易になる、また、斜面でも安定した設置が出来ることを特徴とする。好ましくは、火山礫に養液、薬液等を吸着させる事により、さらなる課題改善に寄与することを特徴とする。【選択図】図１
2006042736.tif 000002
【特許請求の範囲】
【請求項１】
透水性が有り、かつ伸縮性の有る袋に、火山礫を入れ、火山礫自体が保持している特性を利用して、除草、保湿、環境改善（土壌、水質等）する事を特徴とする。
【請求項２】
前記請求項１の袋に、取り外し可能なワイヤーロープを挿入出来る事を特徴とする。
【請求項３】
前記請求項１の火山礫が、流紋岩質の軽石で形成されたものであることを特徴とする。
【請求項４】
前記請求項１の袋の火山礫に使用目的に応じた養液、薬液などを浸透吸着させその効能を利用することが出来る事を特徴とする。
【発明の詳細な説明】
【技術分野】
【０００１】
本発明は一般に、除草、及び、野菜、草木、花の生育、環境改善（土壌、水質等）を助ける火山礫を挿入した袋に関する。
【背景技術】
【０００２】
畑や家庭菜園、ガーデニング、花壇などの管理、環境改善（土壌、水質等）には、除草剤、ビニールシート、軽石、木片の散布、炭の混入など、種々の方式が使われてきています。
【特許文献１】公開特許広報を見ましたが、火山礫を袋に挿入した文献が見当たらない。
【非特許文献１】火山礫を袋に挿入した文献が見当たらない。
【発明の開示】
【発明が解決しようとする課題】
【０００３】
しかしながら、近年の減農薬指導等により、農薬の散布回数にも制限が有ったり、ビニールシートは吸水性の問題、木片の散布は病害虫の温床となりやすい、炭なども持続期間が短いなど、それぞれに一長一短があり特に除草、草花、木などの保湿と育成管理を、安全かつ効率的に行う方法が見当たらないのが現状であります。
【０００４】
本発明はこのような状況に鑑みて案出されたものであって、雑草の生えやすい場所、保湿の困難な場所、養液、薬液などが散布困難な場所であっても、従来よりも少ない手間で効率的に改善する事を目的とする。
【課題を解決するための手段】
【０００５】
本願請求項1に記載した袋は、透水性が有り、かつ伸縮性の有る袋に、火山礫を入れ、軽石の性質、効能を有効利用する事を特徴とする。
【０００６】
本願請求項２に記載した袋は、  前記請求項1の火山礫を挿入した袋に、取り外し可能なワイヤーロープを挿入出きる事を特徴とする。
【０００７】
前記火山礫が流紋岩質の軽石で形成されている事を特徴とする。
【０００８】
本願請求項１に記載した火山礫に、使用目的に応じた養液、薬液などを浸透吸着することが出来る事を特徴とする。
【発明の効果】
【０００９】
本発明の火山礫を挿入した袋によれば下記のような効果が得られる。
（１）伸縮性の袋に火山礫を入れるため火山礫が散らばらず、かつある程度自由な形態で設置できる。
（２）火山礫が伸縮性の袋に入っているため単位体積あたりの火山礫量の密度が増大することにより、火山礫自体を散布するよりも保湿性、遮光性に優れ、かつ取り扱いが容易である、
（３）ワイヤーロープを挿入していない場合、より複雑な形状な場所にも容易に設置できる。           
（４）取り外し可能なワイヤーロープを挿入した場合、火山礫の入った袋を連結して使用することが出来、設置、撤去が容易になる、また、斜面でも安定した設置が出来る。
（５）遮光性に優れているため雑草の生育を阻止する。
（６）保湿性に優れているため急激な乾燥が押さえられ、果樹木、花、野菜などの安定した生育管理を助ける。
（７）透水性があるため水分、養分の吸収、放出が適度に行われる。
（８）挿入される火山礫は流紋岩質の軽石で出来ているため軽石の含有可溶成分もしくは吸着成分を有効利用することにより、低農薬農業、果樹木、花、野菜などの育成管理、環境改善（土壌、他）等さまざまな効果が期待できる、
【発明を実施するための最良の形態】
【００１０】
次に、図面を参照して、本発明の好ましい実施の形態に係る袋について詳細に説明する。
図１は、本発明の好ましい実施の形態に係る装置を示した概略断面図である。本発明の好ましい実施の形態に係る袋は。透水性、伸縮性が有り、両端を紐などにより綴じる事が出来る本体1を備えている、本体1内には火山礫が挿入されている2の部分で構成されている。
【００１１】
本体１に挿入される種々の火山礫を検討した結果、流紋岩質の軽石（可溶成分として、ＳｉＯ2、ＡＬ2Ｏ3、ＮａＯ2，ＣａＯ，ＦｅＯ，Ｆｅ2Ｏ2，Ｋ2Ｏ，ＰＯ5，ＭｇＯ，ＴｉＯ2，Ｍｎ2Ｏ等）で出来た火山礫が特に好ましい事を見出した。
【００１２】
本体１と挿入された火山礫のみで使用することが出来る。
【００１３】
本体１の袋に挿入された火山礫に、使用目的に応じた溶液もしくは薬液を吸着させることが出来る。
【００１４】
次に、図2を参照して袋は、本体1を固定、連結をするために両端にリング、一方端に貫通阻止版を付けたワイヤーロープを施している。
【００１５】
本発明は、以上の発明の実施の形態に制限されることなく、特許請求の範囲に記載された発明の範囲内で、種々の変更が可能であり、それらも本発明の範囲内に包含されるものは言うまでもない。
【００１６】
例えば、図３で示されている、斜面等に設置する場合、たてに施すよりも横に設置したほうが効果を期待出来うる場合も有る。
【産業上の利用可能性】
【００１７】
伸縮性の有る袋に火山礫を入れるため火山礫が散らばらず、かつある程度自由な形態で設置できるため高度な設置技術を必要とせず、撤去も簡単であり、人件費の面からも好ましいと言える。
【００１８】
袋を連結することにより斜面などの危険な場所に設置する場合においても従来よりも安全な作業が期待される。
【００１９】
流紋岩質の軽石が保有している成分の利用および、火山礫に使用目的に応じた養液、薬液などを浸透吸着させることにより低農薬農業の実現に寄与することが出来る。
【００２０】
流紋岩質の色が白いため、使用目的に応じた色を付けやすく、識別がしやすくなり、使用目的に合わせた選択ミスを最小限に抑えることが出来る。
【図面の簡単な説明】
【００２１】
【図１】本発明の好ましい実施の形態に係る袋を示した概略図である。
【図２】変形形態の火山礫を挿入した袋を示した図である。
【図３】変形形態の火山礫を挿入した袋を示した図である。
【符号の説明】
【００２２】
（１）透水性がありかつ伸縮性の有る袋
（２）流紋岩質の軽石で出来ている火山礫
（３）、（６）、（７）、（９）連結冠
（４）ワイヤーロープ貫通阻止板
（５）、（８）ワイヤーロープ
【図１】
2006042736.tif 000003
【図２】
2006042736.tif 000004
【図３】
2006042736.tif 000005
(57)【要約】【課題】本発明は、冷房を目的とする空調システムからの暖められた排気を冷却することで、ヒートアイランド現象を軽減する手段の提供にある。【解決手段】屋上面に遮水シートを敷き設し、当該遮水シート上に貯留部材を配置し配置物とし、前記遮水シートで前記配置物の下側面を覆うことで配置物下部を貯留槽とし、当該貯留槽の内部に側面に開口を有する筒体をその一部が貯留槽内に貯留された水に浸かるように設置し、貯留部材の空間部には湿潤部材を充填するとともに、前記配置物の周囲を植物育成用の土壌を充填した緑化部材で覆うことで緑化する屋上庭園において、前記筒体内に空調システムからの排気ガスを導入し、前記湿潤部材を通過させ緑化部材で覆われていない配置物表面から排出する空調システムからの排気ガスの冷却方法である。【選択図】図1
2006042672.tif 000002
【特許請求の範囲】
【請求項１】
屋上面に遮水シートを敷き設し、当該遮水シート上に貯留部材を配置し配置物とし、前記遮水シートで前記配置物の下側面を覆うことで配置物下部を貯留槽とし、当該貯留槽の内部に側面に開口を有する筒体をその一部が貯留槽内に貯留された水に浸かるように設置し、貯留部材の空間部には湿潤部材を充填するとともに、前記配置物の周囲を植物育成用の土壌を充填した緑化部材で覆うことで緑化する屋上庭園において、前記筒体内に空調システムからの排気ガスを導入し、前記湿潤部材を通過させ緑化部材で覆われていない配置物表面から排出することを特徴とする空調システムからの排気ガスの冷却方法。
【発明の詳細な説明】
【技術分野】
【０００１】
本発明は、屋上庭園を利用した空調システムからの排ガスの冷却技術に属する。
【背景技術】
【０００２】
都市化の進行とともに、建物のヒートポンプ方式の空調施設からの排気ガスあるいは屋上に設けられたクーリングタワーなどからの排気による温度上昇がヒートアイランド現象を悪化させる原因の一つとなっているが、特に対策は取られていない。
【発明の開示】
【発明が解決しようとする課題】
【０００３】
本発明は、冷房を目的とする空調システムからの暖められた排気を冷却して排出することで、ヒートアイランド現象を軽減する手段の提供にある。
【課題を解決するための手段】
【０００４】
本発明は、屋上面に遮水シートを敷き設し、当該遮水シート上に貯留部材を配置し配置物とし、前記遮水シートで前記配置物の下側面を覆うことで配置物下部を貯留槽とし、当該貯留槽の内部に側面に開口を有する筒体をその一部が貯留槽内に貯留された水に浸かるように設置し、貯留部材の空間部には湿潤部材を充填するとともに、前記配置物の周囲を植物育成用の土壌を充填した緑化部材で覆うことで緑化する屋上庭園において、前記筒体内に空調システムからの排気ガスを導入し、前記湿潤部材を通過させ緑化部材で覆われていない配置物表面から排出する空調システムからの排気ガスの冷却方法である。屋上に設けた雨水等の貯留槽に貯めた水の上と湿潤部材の隙間に排気ガスを通すことと、植物を用いることで気化熱により空調システムからの排気ガスの温度を低減させる。
【発明の効果】
【０００５】
本発明は、空調システムからの暖められた排気ガスを貯留槽内に漬けられた筒体内の水と接触することと、筒体の外に設けた貯留部材内に充填された湿潤部材の隙間を通過させ、さらに植物間を通過させることで、気化熱によって冷却する。
【発明を実施するための最良の形態】
【０００６】
以下本発明を図により詳細に説明する。
図1は、本発明の空調システムからの排気ガスの冷却方法を示す概念図である。
図に示したとおり、屋上にゴム製などの遮水シートを敷き、その上に貯留部材を配置し、貯留部材の種類により要求される継ぎ手を用いて連結し、配置物とする。貯留部材は一般に雨水の流出抑制、雨水の有効利用を目的とする貯留槽用あるいは浸透槽用に用いられるものが使用できる。これらの貯留部材の例を図3に示す。貯留部材により形成された配置物の下側面を遮水シートで覆い貯留槽を形成する。貯留部材の空間部には湿潤部材を充填しておく。
【０００７】
上記貯留槽内に側面に開口を有する筒体を配設し、その一部が貯留槽内に貯まった雨水に浸るようにする。筒体内に図示しない空調システムからの暖められた排気を導入する。導入された排気ガスは筒体内の雨水と接触しながら上方の湿潤部材の隙間を通って排出される。その間気化熱によりその温度を低減する。
【０００８】
貯留部材内に充填する湿潤部材は発泡ガラスカレット、軽石などその内部に細孔を有する粒体あるいは紐状あるいは繊維状あるいは不撚布で構成されたマット状のものであり、排気ガスが通過しやすく、表面積の大きなものが好ましい。
【０００９】
緑化物は植物育成用のポットに植物育成用の土壌を充填したものを上記配置物の周囲に並べることでよい。植物育成用のポットは一般に使用されるポットでもよいが図4に示したポットがより好ましく使用される。本ポットは図示したように両側面に接続部を有し互に接続可能となっていると同時にその底面から立ち上がる凸部が設けられている。本凸部は土壌の移動を防ぐと同時に、植物の世話をする場合には人の踏み圧を支えるためのものである。この凸部が人の踏み圧を支えるため土壌が固まらず植物の育成を妨げることがない。緑化物は配置物の周囲に隙間なく配置するのではなく側面または上面の一部を空け、排気ガスの排出部を残すようにしておくことが好ましい。
【００１０】
図2は本発明の他の実施例である。
図1に示した空調システムからの暖められた排気ガスの冷却方法で使用する筒体の上部に表面に開口を有する水配管を通し、水を循環しながら下の湿潤部材を濡らし、排気ガスと水分との接触効率を高めたものである。循環に使用する水は貯留槽中の水を使用することができる。水の循環に関しては既存の技術を利用することができる。
【００１１】
貯留部材の例を図3に示した。貯留部材の形状によって充填する湿潤部材の種類、形状など変えることが好ましい。例えば図3aに示した貯留部材では、容器状の形状となっているため、その内部に粒体上の湿潤部材を充填して使用するのが便利であり、図3bに示した貯留部材では互にその筒状部を突合せ2つの対向する平板部に紐状の湿潤部材を張って使用するのがよい。図3dに示した貯留部材にあっても同様である。図3cに示した貯留部材では粒体状の湿潤部材をその隙間にそのまま充填あるいはネットで包んで充填することができる。
配置物を構成した時点でその側面が大きく開放されている場合は、適宜開口部を有する側板で覆うなどその貯留部材の形状に応じて本目的が達成するよう調整する。
【図面の簡単な説明】
【００１２】
【図１】本発明の冷却システムからの排気ガスの冷却方法の概念図を示す。
【図２】本発明の冷却システムからの排気ガスの冷却方法の概念図で、他の例を示す。
【図３】本発明に使用可能な貯留部材の概念図である。
【図４】緑化物に用いる植物育成用ポットの例を示す。
【符号の説明】
【００１３】
１  貯留槽
２  遮水シート
３  貯留材
４  湿潤部材
５  筒体
６  水配管
７  植物育成用ポット
８  屋上
【図１】
2006042672.tif 000003
【図２】
2006042672.tif 000004
【図３】
2006042672.tif 000005
【図４】
2006042672.tif 000006
(57)【要約】【課題】柚子やシークワーサのような柑橘類は、糖尿病の改善に相当の効果があることが知られているが、苦味が強く、ジュースにしても容易に摂取することができない。そのような柑橘類を容易に摂取することができる和菓子を提供する。【解決手段】  柚子（ゆず）などの柑橘類の果物の粉砕物と、粉砕時に得た柑橘類の液体分と、さらし餡（あん）とによって栄養菓子を製造する。【特許請求の範囲】
【請求項１】
柑橘類の果物の粉砕物と、
粉砕時に得たその果物の液体分と、
さらし餡（あん）とによって構成した、
栄養菓子。
【請求項２】
柑橘類の果物を、その種とともに粉砕し、
その果物の粉砕物と、その果物の液体とを
粉状のさらし餡（あん）と混合して製造する、
栄養菓子の製造方法。
【請求項３】
柑橘類の果物として柚子（ゆず）、シークワーサを使用する、
請求項１、２記載の栄養菓子とその製造方法。
【発明の詳細な説明】
【技術分野】
【０００１】
本発明は、栄養菓子とその製造方法に関するものである。
【背景技術】
【０００２】
糖尿病とは、吸収した糖分が体内でうまく利用されず、血液中のブドウ糖が濃くなりすぎ、尿の中に混じるものである。
健康なときには、インスリンという膵臓から出るホルモンが、液体中のブドウ糖を細胞に運びエネルギーに代えて燃焼させ、その結果、血糖値を正常に保つ働きをする。
糖尿病の原因は、このインスリンの分泌または作用が不足して起きる病気である。
糖尿病が進むと抵抗力が落ち、感冒にかかりやすくなったり、血管障害が起こりやすくなる。そのために視力が急に落ちたり、手足のしびれ、歯槽膿漏、貧血などの合併症を起こす。
一方、柑橘類の柚子（柚子）は、クエン酸、酒石酸、リンゴ酸、亜鉛を含んでおり、特に柚子の「種」に含まれる亜鉛がインスリンを作る原料となることが知られている。
柚子は柑橘類の中でビタミンＣが多いが、このビタミンＣが亜鉛の吸収率を格段にアップする。
このように、柚子の亜鉛とビタミンＣによって血糖値、すなわち血液中にあるブドウ糖の量が下がることが分かっている。
【発明の開示】
【発明が解決しようとする課題】
【０００３】
前記したように、柚子はその「種」も摂取すると、糖尿病の改善に相当の効果があることが知られているが、しかし柚子は苦味が強く、ジュースにしても容易に摂取することができない。
特に食事療法は長期間継続しなければ効果はないので、柚子に糖尿病に対する効果があることが分かっていても、苦味が強い柚子を長期間、摂りつづけることはきわめて困難である。
上記の課題は、柚子に限らず、シークワーサー、その他の一般の柑橘類においても共通している。
【課題を解決するための手段】
【０００４】
上記のような従来の課題を解決した本発明は、柑橘類の果物の粉砕物と、粉砕時に得たその果物の液体分と、「さらしあん」餡とによって構成した、栄養菓子を特徴とするものである。
【０００５】
さらに本発明は、柑橘類の果物を、その種とともに粉砕し、その果物の粉砕物と、その果物の液体とを、粉状のさらし餡と混合して製造する、栄養菓子の製造方法を特徴とするものである。
【発明の効果】
【０００６】
本発明の栄養菓子とその製造方法は以上説明したようになるから、苦味が強くて長期間の摂取が困難な柚子やシークワーサーなどの柑橘類を、その種を含めて容易に摂取することができる。
【発明を実施するための最良の形態】
【０００７】
以下図面を参照しながら本発明の栄養菓子とその製造方法の実施例を、柚子（ゆず）を柑橘類の果物の一例として説明する。
【実施例】
【０００８】
＜１＞全体の構成。
本発明の栄養菓子とその製造方法は、柑橘系の柚子と、さらしあん（餡）を使用して構成する。
【０００９】
＜２＞柚子の処理。
柑橘類の「柚子」をミキサーなどを使用して細かく粉砕する。
この粉砕時には柚子の粉砕物とともに果汁である液体分も得ることができる。
また粉砕前に皮を剥いたり、種を除去することなく、皮も種も同時に粉砕することが重要である。
上記したように、血糖値を下げる亜鉛は柚子の種に含まれているために種を排除せずにそのまま粉砕する。
【００１０】
＜３＞さらし餡（あん）との混合。
粉砕時に得た柚子の粉砕物と、柚子の液体分とを、さらし餡に混合する。
こし餡は、やわらかく煮た小豆をすりつぶし、小豆の種皮を取り除いたものであるが、このこし餡を水にさらした後、脱水して乾燥させたものが「さらし餡」である。
このさらし餡は、「乾燥餡」とも呼ばれるよう、乾燥した粉体であるから、柚子の液体分をよく吸収して一体化することができる。
こうして柚子の成分、特に糖尿病の改善に有効な亜鉛とビタミンＣを含んだ和菓子が完成する。
柚子の亜鉛とビタミンＣによって血糖値、すなわち血液中にあるブドウ糖の量が下がり、糖尿病が改善されるからである。
【００１１】
＜４＞甘味料の添加。
この商品の目的上、砂糖を加えることはできない。
そこで、例えばマルチトース（麦芽糖）を原料とし、それを還元したマルチトールを主成分とする還元麦芽水飴などを使用する。
還元麦芽水飴は、血糖値やシンスリン上昇が穏やかであるため、糖尿病患者の食品に添加する材料として適している。
還元麦芽水飴には液状、粉状、結晶粉末のような形態で市販されているので、特に粉状のものを採用すると、柚子の液との混合に適している。
【００１２】
＜５＞柚子入り羊羹。
羊羹は、さらし餡に砂糖、水を入れ、加熱して煮立った状態で寒天を入れて製造する。
この羊羹の製造工程において、さらし餡に柚子の粉砕物と柚子の液体分を吸収させたものを利用することもできる。
その他のさらし餡を含む和菓子にも、本発明の方法を採用することができる。
(57)【要約】      （修正有）【課題】親機が低い位置に取付けられていても、身長の高い看護師が難なく操作、視認可能な通信システムを提供する。【解決手段】身長の高い看護師にとって低い位置に取付けられた親機の視認性、操作性が悪化するのは、高い位置から見下ろす視線になるからである。  すなわち表示面に対する視角が大きく、表示面が実際のものより小さく見えるからである。そこで本発明は個別表示操作部の最下段を個別表示操作部の最上段の縦幅より大きくする、あるいは、個別表示操作部の最下段の枡に配された表示手段又は操作手段を個別表示操作部の最上段の枡に配された表示手段又は操作手段よりも大きくすることにより問題を解決するものである。【選択図】図２
2006042282.tif 000002
【特許請求の範囲】
【請求項１】
子機と親機を有する通信ステムであり、
前記親機はｍ段、ｎ列で分割された個別表示操作部を有し、
前記個別表示操作部の最下段が前記個別表示操作部の最上段の縦幅より大きことを特徴とする通信システム。
【請求項２】
子機と親機を有する通信ステムであり、前記親機はｍ段、ｎ列で分割された個別表示操作部を有し、前記個別表示操作部の分割された各枡には少なくとも表示手段と操作手段のどちらか１つが夫々に配され、前記個別表示操作部の最下段の枡に配された表示手段又は操作手段が前記個別表示操作部の最上段の枡に配された表示手段又は操作手段よりも大きいことを特徴とする通信システム。
【発明の詳細な説明】
【技術分野】
【０００１】
インターフォンやナースコール装置のように複数の子機と親機との間で通信を行う通信装置に関する。
【背景技術】
【０００２】
近年、上述の通信システムの親機は板形状で壁等に取付けられ使用されることが多い。  これら親機はｍ段、ｎ列で分割された個別表示操作部を有し、分割された各枡には氏名、部屋番号等を表示する表示手段や看護師等が操作する操作手段が配されている。  各枡は子機の夫々に対応し、接続する子機の数により増設可能なようになっているものが多い。  開示する特許文献はその一例である。ところで、上述したようにこれら親機は壁等に取付けられ使用される。  身長の低い看護師でも確実に操作可能とする場合は当然壁の低い位置に取付けなければならない。  この場合、身長の高い看護師にとって、特に個別表示操作部の下段は操作性、視認性が悪くなる。
【特許文献１】特開平１１−２９０４０２号  公開公報
【特許文献２】特開２００２−２９０５３０号  公開公報
【発明の開示】
【発明が解決しようとする課題】
【０００３】
本発明は上述の問題を鑑み、親機が低い位置に取付けられていても、身長の高い看護師が難なく操作、視認可能な通信システムの提供を課題とする。    
【課題を解決するための手段】
【０００４】
身長の高い看護師にとって低い位置に取付けられた親機の視認性、操作性が悪化するのは、高い位置から見下ろす視線になるからである。  すなわち表示面に対する視角が大きく、表示面が実際のものより小さく見えるからである。そこで本発明は個別表示操作部の最下段を個別表示操作部の最上段の縦幅より大きくする、あるいは、個別表示操作部の最下段の枡に配された表示手段又は操作手段を個別表示操作部の最上段の枡に配された表示手段又は操作手段よりも大きくすることにより問題を解決するものである。    
【発明の効果】
【０００５】
表示面に対する視角が大きく見た目が縮小されても、被視認物が大きいので、操作性、視認性は確保される。  
【発明を実施するための最良の形態】
【０００６】
以下、図を用いて説明する。図１は本発明、及び従来の通信システムの構成である。複数の子機が廊下灯を介して親機に接続されている。        
【０００７】
図２は本発明の親機である。この親機は２０段、３列の個別表示操作部を有している。２０段の１列、２列、３列の各枡は、その縦幅が他の枡より大きく構成されている。  また、２０段の１列、２列、３列の各枡に配された表示手段、操作手段も他の増すに配された表示手段、操作手段より大きな物で構成されている。     
【図面の簡単な説明】
【０００８】
【図１】・・・本発明に係る通信システム
【図２】・・・本発明の親機
【図３】・・・従来の親機
【図１】
2006042282.tif 000003
【図２】
2006042282.tif 000004
【図３】
2006042282.tif 000005
(57)【要約】【課題】利便性から要望されるナースコールシステムの無線子機が、通信の確立を行えない場合でも、患者からの呼出が確実に看護師等に伝わるシステムの提供を課題とする。【解決手段】無線子機子機は通信相手と所定のプロトコルで通信を行い、プロトコルは、送信後、受信確認信号を受けると正常終了し且つ再送要求を受けるか、無応答の場合には再送を行い、再送が予め決められた回数を越えると異常終了処理を行うものであり、子機は正常終了した場合には正常終了を発光と発音の両方又は片方で示し、異常終了した場合には前記正常終了時の発光、発音とは異なる方法で異常終了を発光と発音の両方又は片方で示す。このとき、異常終了の場合には正常終了を示す発音とは異なる大音量で異常終了を示すことで、無線通信が確立されなくても、音響的に看護師を呼出し課題を解決するものである。【選択図】図２
2006042284.tif 000002
【特許請求の範囲】
【請求項１】
ナースコールシステムにおける無線子機であり、前記子機は通信相手と所定のプロトコルで通信を行い、前記プロトコルは送信後、受信確認信号を受けると正常終了し且つ再送要求を受けるか、無応答の場合には再送を行い、再送が予め決められた回数を越えると異常終了処理を行うものであり、
前記子機は正常終了した場合には正常終了を発光と発音の両方又は片方で示し、
再送した場合には前記正常終了時の発光、発音とは異なり且つ２回目以降の再送時には前回の再送字は異なる発光、発音とは異なる方法で再送を発光と発音の両方又は片方で示すことを特徴とする無線子機。
【請求項２】
再送を示す発音の音量を再送毎に前回より音量を増加させ発音することを特徴とする請求項１記載の無線子機。
【請求項３】
音量は３０ｄｂから８０ｄｂまで増加させることを特徴とする請求項２記載の無線子機。
【発明の詳細な説明】
【技術分野】
【０００１】
ナースコールシステムの無線化した子機に関する
【背景技術】
【０００２】
ナースコールシステムの子機は電線で壁などに設置されたコネクターに接続されるものが多い。  利便性を第１にするなら電線を廃して無線化すればよいが通信確立の信頼性が有線式より劣る場合がある。
【特許文献１】特開2002-009957 公開公報
【発明の開示】
【発明が解決しようとする課題】
【０００３】
そこで本発明は通信が確立されなくても、ナースコールの最低条件である、呼出を確実に行えるナースコールシステムにおける無線子機の提供を課題とする。    
【課題を解決するための手段】
【０００４】
無線子機子機は通信相手と所定のプロトコルで通信を行い、プロトコルは、送信後、受信確認信号を受けると正常終了し且つ再送要求を受けるか、無応答の場合には再送を行い、再送が予め決められた回数を越えると異常終了処理を行うものであり、子機は正常終了した場合には正常終了を発光と発音の両方又は片方で示し、異常終了した場合には前記正常終了時の発光、発音とは異なる方法で異常終了を発光と発音の両方又は片方で示す。
このとき、異常終了の場合には正常終了を示す発音とは異なる大音量で異常終了を示すことで、無線通信が確立されなくても、音響的に看護師を呼出し課題を解決するものである。
【発明の効果】
【０００５】
異常終了の場合には大音量で異常終了を示すので、無線通信が確立されなくても音響的に看護師にしらせることができる。  
【発明を実施するための最良の形態】
【０００６】
本発明の一実施例を図を用いて説明する。        
【０００７】
図１は本発明に係るナースコールシステムの例である。ナースセンター等の親機が設置され、患者等が子機を用いて行う呼出しを看護師等に知らせる。  親機と子機は廊下灯を介して接続される。図１の病室Ｂは従来の有線子機が用いられており、病室Ａは本発明の無線子機が用いられている。        
【０００８】
患者は看護師に用がある場合、呼出スイッチを押す。無線子機のCPUは呼出スイッチが押されたことを検出すると、通信相手に送るデータを精製し、無線部を介して通信相手に信号を送る。        
【０００９】
このときCPUは経過時間カウンターをクリア後、カウントアップを開始し、通信相手からの反応を待つ。        
【００１０】
このときに、通信相手より正しく受信できたことを通知する受信確認信号が返送されてきた場合には、発光手段、発音手段の双方あるいは一方を用いて患者にその旨を知らせる。また、通信相手からの反応が予め決めた時間内に無かった場合、及び通信相手より再送信を要求する再送要求信号が返送されてきた場合には再送信の回数をカウントする再送信回数カウンターのカウントアップを行い、再送信を行う。        
【００１１】
再送した場合には正常終了時の発光、発音とは異なり、且つ２回目以降の再送時には前回の再送字は異なる発光、発音とは異なる方法で再送を発光と発音の両方又は片方で示す。
【００１２】
例えば、再送毎に発音の音量を増加させるなどである。
【００１３】
図示はしないが無線部は変調、復調、高周波増幅、周波数変換、局部発振等の回路から構成される。  また、通信相手の構成も同様である。    
【図面の簡単な説明】
【００１４】
【図１】・・・本発明に係るナースコールシステム構成
【図２】・・・本発明の無線子機
【図３】・・・本発明の無線子機のフローチャート
【図１】
2006042284.tif 000003
【図２】
2006042284.tif 000004
【図３】
2006042284.tif 000005
(57)【要約】【課題】従来、カメラ付携帯電話機のカメラで撮影するときは、被写体の確認は液晶モニターを見ながら撮影していた。【解決手段】そこで以上の課題を解決するため、カメラ付携帯電話機のカメラにファインダーを設け、被写体をファインダーにて目視により容易に素早く撮影でき、消費電力も少なくさせることが出来る。【選択図】図１
2006042291.tif 000002
【特許請求の範囲】
【請求項１】
ファインダーを設けたことを特徴とするカメラ付携帯電話機。
【発明の詳細な説明】
【技術分野】
【０００１】  本発明はカメラ付携帯電話機において、カメラを使用したとき、撮影容易なカメラに関するものである。
【背景技術】
【０００２】  従来、カメラ付携帯電話機のカメラで撮影するときは、被写体の確認は液晶モニターを見ながら撮影していた。
【発明の開示】
【発明が解決しようとする課題】
【０００３】  しかしながら、以上の技術によれば被写体の確認はモニターを見ながらの撮影であるがため電力の消費が大である。又、晴天時の屋外や夜間はモニターが見ずらい、そこでこの発明は、使い勝手の良いカメラ付携帯電話機を提供することを課題とする。
【課題を解決するための手段】
【０００４】  以上の課題を解決するために、第一発明はカメラ付携帯電話機のカメラにファインダーを設けたことを特徴とするカメラ付携帯電話機である。
【発明の効果】
【０００５】（１）ファインダーで被写体を目視することで、撮影が容易に素早くできる。
（２）晴天の屋外、夜間等はモニターが見ずらい、ファインダーで目視すれば容易に撮影できる。
（３）モニターでの撮影は電力消費が大である、ファインダーでの目視撮影を行うことで、電力消費を少なくさせることができる。
【発明を実施するための最良の形態】
【０００６】この発明の一実施形態（一例）を図１に示す。
ファインダー１をカメラ付携帯電話機の任意の位置に取り付ける。【０００７】「実施形態の効果」
この実施形態によれば、任意の位置にファインダー１を取り付け、カメラ付携帯電話機を開いたとき又は閉じたとき両方でファインダーにて目視で撮影できる。【０００８】「他の実施形態」
図１の実施形態では、ファインダーは正面側に取り付けてあるが、側面側に取り付けてもよい。
【図面の簡単な説明】
【０００９】
【図１】  この図面の一実施形態を示す斜視図である。
【符号の説明】
【００１０】１  ファインダー    ２  モニター    ３  カメラ付携帯電話機本体
【図１】
2006042291.tif 000003
(57)【要約】【課題】  この発明の課題はコードレスにして携帯電話で音楽が聴取できるようにし、しかもこれをステレオで実現できる二つ折り型携帯電話提供するものである。  【解決手段】  外部に延出したアンテナを有し、バッテリで駆動され、電波の送受信で送受話口から通話可能な通信用電子回路が組み込まれ、表示装置及び複数のキー等を有する一般的な携帯電話機能を有する二折り型携帯電話において、送受話口の近傍にスピーカを設けてなることを特徴とする二折り型携帯電話。 【選択図】   図２
2006042099.tif 000002
【特許請求の範囲】
【請求項１】
外部に延出したアンテナを有し、バッテリで駆動され、電波の送受信で送受話口から通話可能な通信用電子回路が組み込まれ、表示装置及び複数のキー等を有する一般的な携帯電話機能を有する二折り型携帯電話において、送受話口の近傍にスピーカを設けてなることを特徴とする二折り型携帯電話。 
【請求項２】
前記二折り型携帯電話の表示部側にある受話口の近傍に一方のスピーカを設置し、各種キーが配置されたキー群側に設けられた他方の送話口の近傍に他方のスピーカを設置してなることを特徴とした請求項１記載の二折り型携帯電話。
【請求項３】
前記二折り型携帯電話の表示部側にある受話口の近傍に一方の複数のスピーカを設置し、各種キーが配置されたキー群側に設けられた他方の送話口の近傍に他方の複数のスピーカを設置してなることを特徴とした請求項１記載の二折り型携帯電話。
【請求項４】
前記受話口の近傍に一方のスピーカを設置し、各種キーが配置されたキー群側に設けられた他方の送話口の近傍に他方のスピーカを設置し、両スピーカは携帯電話本体の巾方向の一方側にシフトして配置してなることを特徴とした請求項１記載の二折り型携帯電話。
【発明の詳細な説明】
【技術分野】
【０００１】
この発明は、近年、普及が著しい携帯電話でも二折り型携帯電話に係わり特に配信された音楽または音楽メデアを聞くのに便利な二折り型携帯電話に関するものである。
【背景技術】
【０００２】
最近の携帯電話はTVが受信できたり、道順案内のナビゲータ機能があったり、音楽などの受信ができたり多くの機能が充実してきている。また、二つ折りの携帯電話では両蓋が互いにずれないように構造的にも十分考えられて来ていて全体として機能面、構造面で格段の進歩をしている。
【０００３】
そして、音楽を聴くような場合には携帯電話にコネクトできるコネクターを差し込んでコードを介して音楽を聴いているのが現状である。このコードは大変邪魔なもので、できれば採用しないようにしたいものである。
【０００４】
しかしやはり確実なステレオを聴取使用とするとコードを用いるのがポピュラーである。そこで最近のスピーカの特性は格段に向上しているのでこれを利用してコードレスでしかもステレオで音楽を携帯電話で楽しめないかの点に着目したものである。   
【特許文献１】特願２００２−１１８２９号公開公報
【発明の開示】
【発明が解決しようとする課題】
【０００５】
この発明の課題はコードレスにして携帯電話で音楽が聴取できるようにし、しかもこれをステレオで実現できる二つ折り型携帯電話提供するものである。
【課題を解決するための手段】
【０００６】
課題を解決するために、外部に延出したアンテナを有し、バッテリで駆動され、電波の送受信で送受話口から通話可能な通信用電子回路が組み込まれ、表示装置及び複数のキー等を有する一般的な携帯電話機能を有する二折り型携帯電話において、送受話口の近傍にスピーカを設ける構造にすることによってコードレスでしかもステレオ聴取が可能な二折り型携帯電話が提供できる。
【発明の効果】
【０００７】
請求項１ではコードレスで携帯電話来本体から直接ステレオ音楽の聴取ができるものである。請求項２では携帯電話の送受話口の近傍にスピーカをそれぞれ設けるから横方向に長い距離をえることができる。
請求項３では左右に複数のスピーカを設けることによって音量、或いは音の領域を広くすることができる。 
請求項４では携帯電話の巾方向の一方にシフトしてスピーカを配置したから寝た場合のスピーカの位置が頭の適正な位置に配置できる。  
【発明を実施するための最良の形態】
【０００８】
以下、この発明の一実施形態を添付図面、図１、図２に基づいて説明するが図１は二折り携帯電話の上蓋と下蓋を開いた場合の斜視図、図２は内側の概略斜視図である。
【０００９】
１はプラスチック製の真ん中から折り曲げる構造の二折り携帯電話で、内部には電波の送受信で通信可能な通信用電子回路が組み込まれていてる。前記携帯電話１は各種データを表示する液晶装置２を施した上蓋３と、各種の機能を入力するスイッチ機能の複数のキー４を施した下蓋５から構成される。前記キー４の表面は文字、数字、絵文字が形成されている。
【００１０】
前記キー４の下には送話口６が形成してあって送話できるようにしてある。また前記液晶装置２の上には受話口７が形成してあって、受話が出来るようにしてある。又前記送話口６の近傍の下蓋５の近傍には図示しないが外部接続端子が形成される。８はアンテナである。
【００１１】
前記送話口６及び受話口７の近傍にはスピーカ９，１０が設置されている。このスピーカ９，１０は十分に小さく音質の良いものが選定される。スピーカ９，１０はこの場合携帯電話の巾方向の丁度中央付近に配置される。しかも長手方向ではもっとも長い位置に両スピーカ９，１０は配置されることでよりステレオ音が実現できる。
【００１２】
通常は前記上蓋３と下蓋５とは閉じているが使用する場合は矢印の方向に互いに離間する方向に口開する、これによって両蓋３，５は開いてステレオの音楽を聴きたい場合はこれによって聴取できるものである。特に寝た場合に頭の近くに置くと一層効果的である。尚１１はヒンジである。
【図面の簡単な説明】
【００１３】
【図１】この発明の一実施形態の斜視図。（実施形態１）
【図２】図１の携帯電話を開いた状態の斜視図。
【符号の説明】
【００１４】
１  携帯電話
２  液晶装置
３  上蓋
４  キー
５  下蓋
６  送話口
７  受話口  
８  アンテナ
９  スピーカ
１０  スピーカ
１１  ヒンジ
【図１】
2006042099.tif 000003
【図２】
2006042099.tif 000004
(57)【要約】【課題】収納口とクリップを増やした携帯電話収納ケースを提供する。【解決手段】携帯電話収納ケースにクリップを付け、筆記用具入れを設ける事を特徴とする携帯電話収納ケース。【選択図】図１
2006223785.tif 000002
【特許請求の範囲】
【請求項１】
携帯電話収納ケースにクリップを付け筆記用具入れを設ける事を特徴とする携帯電話収納ケース
【発明の詳細な説明】
【技術分野】
【０００１】本発明は収納口とクリップを増やした携帯電話収納ケースに関するものである。
【背景技術】
【０００２】従来、携帯電話のみの収納ケースは現在ある。
【発明の開示】
【発明が解決しようとする課題】
【０００３】そのために次のような問題点があった。
（イ）着信した時に筆記用具を探す事がある。
（ロ）カバンの中でケースごと携帯電話が見つかりにくくなる事がある。
（ハ）小型、軽量の機能を損なわない物でないといけない。
本発明はこれらの問題点を解決するためになされたものである。
【課題を解決するための手段】
【０００４】布、革製又は合成樹脂製携帯電話収納ケースにクリップを付け、筆記用具入れを設ける事を特徴とする携帯電話収納ケースである。
【発明の効果】
【０００５】クリップを取り付ける事により、カバン等に止める事が出来、筆記用具を設ける事により着信した時にすばやく対処出来る。
【発明を実施するための最良の形態】
【０００６】以下、本発明の実施の形態について説明する。
（イ）収納袋の隅に長さ自由に出来るクリップを付ける。
（ロ）携帯電話収納口の横に筆記用具を入れる子袋を設ける。
（ハ）携帯電話収納口の裏側にメモ帳を入れる子袋を設ける。
本発明は以下の様な構成でこれを使用する時は、小型軽量の機能を損なわないよう設計してある為、カバンや背広、ワイシャツのポッケットに収まり、クリップで固定しているので安定して使用出来る。
また、とっさの時にもあわてずメモする事が出来る。
【図面の簡単な説明】
【０００７】
【図１】本発明の正面図
【図２】本発明の裏面図
【図３】本発明の斜視図
【符号の説明】
【０００８】１  携帯収納口
２  筆記用具収納口
３  ひも用の穴
４  メモ帳収納口
５  クリップ
６  ひも
【図１】
2006223785.tif 000003
【図２】
2006223785.tif 000004
【図３】
2006223785.tif 000005
(57)【要約】【課題】  従来のオムツ替えは、乳児を寝かせた座布団や敷物が汚れ、不衛生になりがちであった。【解決手段】  スポンジ入りのマットに使い捨ての衛生シートや吸水シート、及びタオル等の任意の物を装着できるクリップを装備することにより、汚れを防ぎ、乳児が触れる全ての面を衛生的に保つことができる。衛生シートは何層にも重ねられており、汚れたらすぐに新しいシートに交換することが出来る上、備え付けのフックに掛けられた袋に、汚物をすぐに納めることが出来るのでうっかり乳児の手足が触れたり、周囲の幼児などが触れたりもせず、衛生的にオムツ替え出来る乳児用マットなのである。【選択図】図１
2006223786.tif 000002
【特許請求の範囲】
【請求項１】
衛生シート台紙と吸水シート、及びタオル等を容易に装着できるクリップを設けた乳児用折りたたみマット。
【請求項２】
何層にも重ねられ、ビニル袋掛けの付いた台紙に接着された、肌触りの良いミシン目入りの衛生シート。
【発明の詳細な説明】
【技術分野】
【０００１】  本発明は、任意の平らな場所において乳児を優しく横にすることが出来、なおかつ衛生的にオムツ替えを行うことが出来るマットに関する。
【背景技術】
【０００２】  従来オムツ替えは、座布団や柔らかいマットの上にバスタオルや薄いシートを敷くなどして、衛生的かつ乳児に優しく行おうとすることが多いものである。また、携帯用としては折りたたみのスポンジ入りマット等も利用されている。
【発明の開示】
【発明が解決しようとする課題】
【０００３】  以上に述べた従来の方法では、オムツ替えの際、便の付着や不意のオシッコで座布団やマットが汚されるケースが度々起こるものである。また、乳児が足をバタバタ動かすなどして、１度でお尻をきれいに拭ききることが出来ずに敷物が汚れ、その汚れた敷物の上で新しいオムツを替えることになると不衛生なのである。オムツ替え中に使用したオムツとお尻拭きを周囲に置いたときも、乳児の手や足が触れたり、他の幼児が触れたりしてしまうことも避けなければいけないところである。【０００４】  本発明は、この様な従来の問題点を解決しようとするものであり、乳児に優しく、なおかつ衛生的にオムツ替えが出来るマットを実現しようとするものである。
【課題を解決するための手段】
【０００５】  そして、本発明は上記の目的を達成するために、使い捨ての衛生シート台紙と吸水シートを装着、及び乳児が触れる面をタオルで覆い、乳児に優しく、常に清潔に保つための装着クリップを設けたものである。【０００６】  また、第２の課題解決手段としては、オムツ替えの際、何層にも重ねられビニル袋掛けの付いた台紙に接着された、肌触りの良いミシン目入りの衛生シートを用いるものである。【０００７】  上記第１の課題解決手段による作用は次の通りである。すなわち、折りたたみのスポンジ入りマットにクリップで留められた衛生シートが汚れを受け、不意のオシッコはその下に装着された吸水シートが漏れなく受け止める。また、タオル等も装着可能なため、乳児の汗もよだれもタオルが吸収し、マット自体を常に清潔に保つことが出来るのである。【０００８】  また、第２の課題解決手段による作用は、衛生シートが何層にも重ねられているため、汚れたらすぐに取り除いて新しいシートに交換することが出来る。よって、お尻がきれいになるまで繰り返し、きれいなお尻を新しいシート落ち着かせてから慌てずにオムツを着けてあげることが出来るのである。また、ビニル袋掛けが台紙に付いているので、お尻拭きに使った綿や使用後のオムツを周辺に放置することなくすぐさま袋に収納できるのである。
【発明の効果】
【０００９】  上述したように本発明の乳児用マットは、オムツ替え時の敷物の汚れを防止するとともに、乳児の肌に触れる面全てを常に衛生的に保つことができ、乳児に優しいマットを提供できる。【００１０】  また、汚れたシートをすぐに取り除いて、新しいシートを設置することができ、汚物も掛けられたビニル袋にそのまま納めることができるため、乳児のお尻をきれいにすることはもちろん手足や周囲も汚さずにオムツ交換をすることが出来るのである。
【発明の実施するための最良の形態】
【００１１】  以下、本発明の実施の形態を図１、図２に基づいて説明する。
【００１２】  図１においては、１は三つ折りに出来るスポンジ入りのマットで、２はタオルなどを装着することが出来るクリップ。３は、衛生シートと吸水シートを装着するクリップである。４ａは衛生シートで４ｂは１枚ずつ剥がし易くするためのミシン目である。４ｃは衛生シートの台紙で両端に袋掛けのフック４ｄが付いている。５は、衛生シートの下に設置された吸水シートである。
【００１３】  図２においては、図１の裏面であり、６ａはベロに付けたマジックテープなので、表面にマジックテープが現れない。６ｂもマジックテープである。取っ手７を設けているので持ち運びも容易かつ、収納にも便利である。
【００１４】  以下、上記構成の仕様を説明する。スポンジ入りマット１に縫い付けられた２のクリップにより、タオルなどを装着することが出来、乳児に触れる面を全て任意の布なので覆うことが出来る。３のクリップで装着された衛生シートと吸水シートにより、乳児のオムツ替え中に起こる汚れの拡大を防ぐことができる。３はタオルなどの布も装着することが出来るので、使用する人の任意で使い分けることができる。４ａの衛生シートは４ｂのミシン目入りなので汚れたらすぐに新しいシート面に交換でき、４ｃの台紙のフック４ｄに掛けられた袋に使用済みのオムツ、お尻拭き、衛生シートなどを使いながらにして納めることが出来るのである。
【００１５】  また、裏面に取り付けられたマジックテープ６ａは、ベロにしてあるため表面に現れず、乳児に触れることがない。取っ手７も付いているので持ち運びや収納にも便利になっているのである。
【図面の簡単な説明】
【００１６】
【図１】  本発明の実施形態を示す乳児用マットの表面図
【図２】  乳児用マットの裏面図
【符号の説明】
【００１７】    ２    タオル等を装着するクリップ
３    衛生シート、吸水シートを装着するクリップ
４ａ  ミシン目入り使い捨て衛生シート本体
４ｂ  ミシン目
４ｃ  衛生シート台紙
４ｄ  袋掛けフック
５    吸水シート
【図１】
2006223786.tif 000003
【図２】
2006223786.tif 000004
(57)【要約】【課題】  片手で洗濯物を干すことができるように洗濯挟みの操作性の向上を図ることにより洗濯物の干す作業、外す作業の労力軽減を図る。併せて、シンプルな構造、使用方法とし、実施化を容易にする。【解決手段】  洗濯挟みの挟み部分の側の形態に特徴を持たせ、挟み部分の側から指で開けることができるようにする。【選択図】図１
2006223789.tif 000002
【特許請求の範囲】
【請求項１】
洗濯挟みの挟み部分の側から洗濯挟みを指で開けるように挟み部分より先に延長部分を設けた形態を有する洗濯挟み。
【請求項２】
請求項１の洗濯挟みを取り付けた洗濯物ハンガ−。
【発明の詳細な説明】
【技術分野】
【０００１】  本発明は、洗濯物等を容易に干すことができるようにする洗濯挟みに関するもので、挟み部分の側から指で開けられる特徴がある。
【背景技術】
【０００２】  従来より洗濯挟みを簡単に操作できる、若しくは片手で操作できる等の発明、考案は多数ある、基本的に洗濯挟みの握り部分を操作しており、普通の洗濯挟みに付属物を取り付けて操作性を容易にしている。（特許文献１、特許文献２、特許文献３、特許文献４、特許文献５、特許文献６）
以上の発明、考案の洗濯挟みは普通の洗濯挟みと比較して操作性に優れているが、付属物を取り付ける費用、手間等に課題がある。また使用方法が難しい発明もある。
【特許文献１】    特開２０００−５４８７
【特許文献２】    特開２０００−５４８８
【特許文献３】    特開２０００−１３５３９８
【特許文献４】    特開２００１−１４９６９４
【特許文献５】    特開２００２−２１０２９１
【特許文献６】    特開２００４−１１３７３９
【発明の開示】
【発明が解決しようとする課題】
【０００３】  片手で洗濯物を干すことができるように洗濯挟みの操作性の向上を図ることにより洗濯物の干す作業、外す作業の労力軽減を図ることを目的とするものである。【０００４】  また、上記目的と併せて、従来の発明、考案の洗濯挟みと比較してシンプルな構造で製造費用、手間等の軽減を図り、使用方法を簡単にし、実施化を容易にする。
【課題を解決するための手段】
【０００５】  本発明は、普通の洗濯挟み（図３）の挟み部分より先に延長部分を設け、且つ指の力点を設けた洗濯挟み（図１）である。このことにより、挟み部分の側から指で洗濯挟みを開くことができ、よって、片手で洗濯物を挟むことができ、又片手で洗濯物を外すことができるようになり操作性を容易にしている。
本発明は従来の発明、考案の洗濯挟みと視点が異なり、洗濯挟みの挟み部分の側を直接指で開くことにより操作性を容易にしている特徴がある。
【発明の効果】
【０００６】  上述したように本発明を実施することで、洗濯挟みの操作性が容易になり、洗濯物を干す労力の軽減が図れるという効果がある。併せてシンプルな構造、使用方法であり実施化が容易である。【０００７】  また、普通の洗濯挟みと同じ使用方法も可能であり、実施用途が広い。
【発明の実施するための最良の形態】
【０００８】  以下、本発明の実施の形態を図１〜図４に基づいて説明する。
【０００９】  図１は本発明を実施する際の洗濯挟み本体の形態の一例である。１ａ、１ｂは指の力点部分であり、外側方向に力を加えて洗濯挟みを開き（図２）２の部分に洗濯物を挟む。
３ａ、３ｂの延長部分は指が２本以上入るスペ−スを確保する。
【００１０】  なお、図１の本発明は１ａ，２，３ａ，４ａが１体状の形成であり、同じく１ｂ，２，３ｂ，４ｂが１体状の形成であり、リングバネとの３部品で構成された洗濯挟みである。
【００１１】  図３の形態の洗濯挟みと同じ使用方法もできる、例えば、図１の４ａ、４ｂを指で握り洗濯挟みを開き２の部分に洗濯物を挟むことができ、図３の形態の洗濯挟みと互換性がある。
【００１２】  図４のように挟み部分の側方向から洗濯物を挟む実施形態が本発明の効果が得られる最適の形態である。
【図面の簡単な説明】
【００１３】
【図１】  本発明の形態を正面から見た外観図
【図２】  図１が開いた形態を正面から見た外観図
【図３】  普通の洗濯挟み
【図４】  図１を複数個取り付けたハンガ−
【符号の説明】
【００１４】  １ａ  洗濯挟みの挟み部分の側から開く際の指の力点
１ｂ  洗濯挟みの挟み部分の側から開く際の指の力点
２    挟み部分
３ａ  洗濯挟みの挟み部分の側延長部分
３ｂ  洗濯挟みの挟み部分の側延長部分
４ａ  洗濯挟みの握り部分
４ｂ  洗濯挟みの握り部分
【図１】
2006223789.tif 000003
【図２】
2006223789.tif 000004
【図３】
2006223789.tif 000005
【図４】
2006223789.tif 000006